(57)【要約】【課題】各葉のページ表示が目視し易い袋状シートを備えた透明ファイルを提供する。【解決手段】この発明のファイルは、中央の背１ｃ部分で折畳み可能なプラスチック製の表紙１の内面に、透明プラスチックシートよりなる複数枚の袋状シート２の固定端２ｂを重ね合せた状態で上記表紙１の内面の背１ｃ部分に沿って融着又は接着して上記袋状シート２の自由端を捲り開閉可能に取付け、該袋状シート２の自由端の表裏各面に見開き状態で正視できるページ表示２ｅを印刷してなる袋状シートを備えている。袋状シート２の自由端には所定幅で縦方向の帯状のページ表示部２ｃを設けた請求項１に記載の袋状シートを備えることもでき、さらに袋状シート２の自由端に至るまで単一の袋状とし、袋状内部に書類を挿入した際、当該ページの裏側のページ表示２ｅが挿入された書類によって遮蔽されるファイルにすることもできる。【選択図】図１
2017205888.tif 000002
【特許請求の範囲】
【請求項１】
中央の背（１ｃ）部分で折畳み可能なプラスチック製の表紙（１）の内面に、透明プラスチックシートよりなる複数枚の袋状シート（２）の固定端（２ｂ）を重ね合せた状態で上記表紙（１）の内面の背（１ｃ）部分に沿って融着又は接着して上記袋状シート（２）の自由端を捲り開閉可能に取付け、該袋状シート（２）の自由端の表裏各面に見開き状態で正視できるページ表示（２ｅ）を印刷してなる袋状シートを備えた透明ファイル。
【請求項２】
袋状シート（２）の自由端に所定幅で縦方向の帯状のページ表示部（２ｃ）を設けた請求項１に記載の袋状シートを備えた透明ファイル。
【請求項３】
袋状シート（２）の自由端に至るまで単一の袋状とし、袋状内部に書類を挿入した際、当該ページの裏側のページ表示（２ｅ）が挿入された書類によって遮蔽される請求項１又は２に記載の袋状シートを備えた透明ファイル。
【請求項４】
表紙（１）を内部が透視できる透明なシート材によって形成してなる請求項１，２又は３に記載の袋状シートを備えた透明ファイル。
【請求項５】
表紙（１）の内側に書類の挿脱が可能な内ポケット（３）を設け、該内ポケット（３）に外部から透視が可能でファイルに収容している書類の表題が表示された表紙シート（６）を挿入してなる請求項１，２，３又は４に記載の袋状シートを備えた透明ファイル。
【請求項６】
表紙（１）の内ポケット（３）又は最初の袋状シート（２）内に、当該ファイル内に収容されている書類のリストが各ページ表示と対応づけされて目次状に表示された目次シート（７）を挿入してなる請求項４又は５に記載の袋状シートを備えた透明ファイル。
【発明の詳細な説明】
【技術分野】
【０００１】
この発明は保険証券や不動産取引書類等の証書，証券，その他主として権利・義務関係の取引書類等で複数の書類，印刷物等を保管するために冊子状にまとめられた袋状シートを備えた透明ファイルに関する。
【背景技術】
【０００２】
従来、上記のように多数のプラスチックフィルム製の袋状シートを冊子状にまとめて表紙を付した透明ファイルは特許文献１等によって公知である。そして上記袋状シートからなる透明ファイルは、左右一対の袋状シートを１枚のフィルム上に形成したものを複数葉重ね合せ、両シートの中間を重ね合せた状態で表紙内面の中心の背部分（折目部分）に沿って融着（ヒートシール）して冊子状に形成したもので、各シートの小口（自由端）側には袋状部とは別に区画されて上下方向に帯状の表示部が形成されており、この表示部にはシートの各葉のページを表わすページ表示が印刷されている。
【先行技術文献】
【特許文献】
【０００３】
【特許文献１】実用新案登録第３１３９１３１号公報
【発明の概要】
【発明が解決しようとする課題】
【０００４】
しかし上記ページ表示は、特許文献１の図１，図２，図５で示すように冊子状のファイルを捲り開始側（表側）から見た際にページ表示が正しく読めるように正視できる形態で印刷されており、各葉を捲った状態で捲り終了側（裏側）から見るとページが左右逆転表示に透視される。
【０００５】
このため特に各葉の表裏両側に袋状部が形成され、又は片側のみが袋状部であっても、そこに差込む書類の両面のページ数を確認する必要がある場合は、各葉の片側のみへのページ表示では各ページで内容を特定したいときには不便である。
【０００６】
また仮に各葉の表裏にそれぞれページ表示があっても見開き状態で左右いずれか一方又は両方のページ表示が正視できず逆向き表示であった場合は、紛らわしく且つ間違い易いという問題がある。
【０００７】
その他一般に多数の袋状シートを集合して冊子状に製本した透明ファイルでは、表紙も樹脂シートや樹脂板で作られるが、表面に内容を表わす印刷をするとファイルの用途が限定され、逆に何らの印刷表示もしない場合はシール貼り等によって内容表示を補う必要があり、結果としてそのままでの汎用性や互換性に乏しいという欠点がある。
【課題を解決するための手段】
【０００８】
上記課題を解決するための本発明のファイルは、第１に中央の背１ｃ部分で折畳み可能なプラスチック製の表紙１の内面に、透明プラスチックシートよりなる複数枚の袋状シート２の固定端２ｂを重ね合せた状態で上記表紙１の内面の背１ｃ部分に沿って融着又は接着して上記袋状シート２の自由端を捲り開閉可能に取付け、該袋状シート２の自由端の表裏各面に見開き状態で正視できるページ表示２ｅを印刷してなることを特徴としている。
【０００９】
第２に、袋状シート２の自由端に所定幅で縦方向の帯状のページ表示部２ｃを設けたことを特徴としている。
【００１０】
第３に、袋状シート２の自由端に至るまで単一の袋状とし、袋状内部に書類を挿入した際、当該ページの裏側のページ表示２ｅが挿入された書類によって遮蔽されることを特徴としている。
【００１１】
第４に、表紙１を内部が透視できる透明なシート材によって形成してなることを特徴としている。
【００１２】
第５に、表紙１の内側に書類の挿脱が可能な内ポケット３を設け、該内ポケット３に外部から透視が可能でファイルに収容している書類の表題が表示された表紙シート６を挿入してなることを特徴としている。
【００１３】
第６に、表紙１の内ポケット３又は最初の袋状シート２内に、当該ファイル内に収容されている書類のリストが各ページ表示と対応づけされて目次状に表示された目次シート７を挿入してなることを特徴としている。
【発明の効果】
【００１４】
以上のように構成される本発明の透明ファイルによれば、各袋状シートを捲った際の見開き状態で、各葉のページ表示が正視判読できるので、ページ表示と内容の関連付けをページ表示の読み違えによって間違うことが防止される利点がある。
【００１５】
また表紙を透明にしてその内ポケットに表紙シートを用意して挿入することにより、表紙シートのみを交換することで同タイプファイルの汎用性が広がるほか、表紙の内ポケット又は最初のページの袋状シートに目次シートを入れることでファイルされた書類のリストと目次が明確化できる利点がある。
【図面の簡単な説明】
【００１６】
【図１】本発明のファイルの全体斜視図である。
【図２】同ファイルの構造を示す端面図である。
【図３】同ファイルの表紙部分の見開き状態を示す斜視図である。
【図４】（Ａ）は表紙シートの、（Ｂ）は目次シートの具体例を示す平面図である。
【図５】袋状シートの自由端側に袋状部とは別の特別の表示部を受けないタイプの袋状シートを示す斜視図である。
【発明を実施するための形態】
【００１７】
以下図示するこの発明の実施形態につき説明すると、図１〜図４は本発明の一実施例を示し、この例では透明ファイルは透明で例えば０．５ｍｍ程度の厚みと一定の弾力性と剛性を有するプラスチックフィルムからなる表裏（左右）の表紙１ａ，１ｂを備えたファイル本体１と、該ファイル本体１の中央の背１ｃに背側を重ね合わせて超音波加熱又はヒーター等を用いて融着させて固定端２ｂとし、反対側を小口端（自由端）として捲り開き可能に取付けた多数葉（図示する例では１０葉）の袋状シート２とを備えている。
【００１８】
表裏の表紙１ａ，１ｂの内面側には、表紙１ａ，１ｂの左右端に延設したポケットカバー３ａを内側に折返し、その下端をヒートシールその他により融着した固着部４として形成した内ポケット３がそれぞれ形成され、内ポケット３のポケットカバー３ａは上端側と内端側から印刷物その他のシート状のものが表紙１ａ，１ｂの内面に沿って差込み収容できる構造になっている。また内ポケットカバー３ａの下方には左右方向の線状の切込み３ｂが形成され、この部分には名刺その他のカード８等を一時的に差込み保持する補助ポケットとして設けられている。
【００１９】
袋状シート２は、この例では全体が例えば０．１ｍｍ程度の厚みのポリプロピレン等からなる透明なプラスチックフィルムからなり、図２に示すように各葉の左右両側に背側（固定端側）に開口部２ａを備え、上下端がヒートシールされた袋状部が形成され、印刷物その他のシート状又は冊子状書類が、該開口部２ａより挿脱収納される。
【００２０】
また各袋状シート２は見開き状態で左側用と右側用が１枚のフィルム芯材で連設されるように一体形成されており、その左右の表裏両側に別のシート材を被せるように一対の袋状部が形成されている。そして一対の袋状シート２が複数枚（本例では５枚）重ね合わされてその中央でフィルム本体１の背１ｃの中心にヒート圧着され、計１０葉の固定端２ｂを構成している。
【００２１】
袋状シート２の自由端側のシート部材の折返し端には、所定幅（例えば１０ｍｍ幅）の帯状で且つチューブ状に形成されたページ表示部２ｃがヒートシール２ｄによって区画形成されており、その内面には各葉の表裏両側から透視できるようにページ表示２ｅが印刷表示されている。そしてこのページ表示２ｅは捲り方向へのページ進行毎に順次上下位置がずらされて印刷され、前後のページ表示が重ならないようになっている。
【００２２】
そして各ページ表示２ｅは見開き状態で当該ページのページ表示の数字が正視できる（反転しない）状態の向きに印刷され、反転によるページの間違いが防止できる向きとなっている。上記ページ表示２ｅとして、本例では１０葉の袋状シート２に対し、その表裏に１〜２０の数字が印刷されている。
【００２３】
尚、この実施例では最初（１ページ目）の袋状シート２と前表紙１ａとの間に図３に示すように名刺やカード類を差込み収容する複数のポケット５ａ，５ｂ，５ｃを備えた透明プラスチックフィルムよりなる補助シート５が、背側端部を袋状シート２と共にヒートシール固着して設けられており、例えば保険証券入れファイルの場合は窓口担当者や関係者の名刺やメモリーカードその他のカード類を差込み保管するのに適した構成となっている。図３における矢印ａ〜ｅはいずれもポケット５ａ，５ｂ，５ｃの開口部に対する書類やカード類の差込方向を示している。
【００２４】
図４（Ａ），（Ｂ）は上記ファイルに収容する表示物シートとしての表紙シート６と目次シート７との１例を示した平面図で、表紙シート６の表面にはファイルに収容すべき書類の表題を表示したもので、ファイル収容物の表紙となるものである。これに対し目次シート７は、その表面にファイルの各葉に収容される具体的書類の名称をリストとして表示したもので、ファイルの収容物書類の目次としての機能を果たすものである。
【００２５】
上記表紙シート６と目次シート７は、例えば前述したファイルの内ポケット３内に表紙シート６をその表面側を外（表向き）にして差込収容し、目次シート７を最初の袋状シート２の表面側に差込収容すれば、表紙シート６がファイルに収容した書類の全体のタイトルを示す表紙となり、目次シート７が収容した書類の各ページ毎の表示（リスト）となって収容書類の目次となる。これらの機能を発揮するためには、表紙１ａ，袋状シート２の袋状部が透明であることが必要である。
【００２６】
この表紙シート６と目次シート７の表示内容は一部又は全部につき予め印刷してあってもよく、収容書類の追加の都度記入すべき空欄として表示されていてもよく、これらの選択は収容すべき書類の性質による。
【００２７】
図５は袋状シート２の他の実施例を示すもので、この例では袋状シート２が全幅に亙って袋を構成し、前記実施例の場合のように自由端側のページ表示部２ｃ及びこれを形成するためのヒートシール２ｄが設けられていない。したがって袋状シート２の自由端に至るまで書類が収容され、その端部の表裏に表示されたページ表示２ｅは見開き状態の表面側にのみ表われ、裏側のページ表示は書類に遮られて透視できない構成になっている。また目次シート７は、その表面を内側に向けて内ポケット３内に差込み、表紙１と最初の袋状シート２とを開いた状態で透視できるように使用することもできる。
【００２８】
上記の２例のほか、袋状シート２の袋状部は各シートの表裏ではなく表側のみに形成される場合もあり、この場合も書類を挿入するページ表示は片側のみに表示され、反対側のページ表示は透視できないものとなる。
【符号の説明】
【００２９】
１    表紙
１ａ  左表紙
１ｂ  右表紙
２    袋状シート
２ａ  開口部
２ｂ  固定端
２ｃ  ページ表示部
２ｄ  ヒートシール
２ｅ  ページ表示
３    内ポケット
３ａ  ポケットカバー
４    固着部
５    補助シート
６    表紙シート
７    目次シート
【図１】
2017205888.tif 000003
【図２】
2017205888.tif 000004
【図３】
2017205888.tif 000005
【図４】
2017205888.tif 000006
【図５】
2017205888.tif 000007
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
中央の背（１ｃ）部分で折畳み可能なプラスチック製の表紙（１ａ，１ｂ）の内面に、透明プラスチックシートよりなる複数枚の袋状シート（２）の固定端（２ｂ）を重ね合せた状態で上記表紙（１ａ，１ｂ）の内面の背（１ｃ）部分に沿って融着又は接着して上記袋状シート（２）の自由端を捲り開閉可能に取付け、該袋状シート（２）の自由端の表裏各面に見開き状態で数字が反転しない状態の向きで正視できるページ表示（２ｅ）を印刷してなる袋状シートを備えた透明ファイル。
【請求項２】
袋状シート（２）の自由端にページ表示（２ｅ）を印刷した所定幅で縦方向の帯状のページ表示部（２ｃ）を設けた請求項１に記載の袋状シートを備えた透明ファイル。
【請求項３】
袋状シート（２）の自由端に至るまで単一の袋状とし、袋状内部に書類を挿入した際、当該ページの裏側のページ表示（２ｅ）が挿入された書類によって遮蔽される請求項１又は２に記載の袋状シートを備えた透明ファイル。
【請求項４】
表紙（１ａ，１ｂ）を内部が透視できる透明なシート材によって形成してなる請求項１，２又は３に記載の袋状シートを備えた透明ファイル。
【請求項５】
表紙（１ａ）の内側に書類の挿脱が可能な内ポケット（３）を設け、ファイルに収容している書類の表題が表示された表紙シート（６）を、上記表紙（１ａ）の外側からの透視が可能な状態で、上記内ポケット（３）に挿入してなる請求項１，２，３又は４に記載の袋状シートを備えた透明ファイル。
【請求項６】
表紙（１ａ）の内ポケット（３）又は最初の袋状シート（２）内に、当該ファイル内に収容されている書類のリストが各ページ表示と対応づけされて目次状に表示された目次シート（７）を挿入してなる請求項４又は５に記載の袋状シートを備えた透明ファイル。
【手続補正２】
【補正対象書類名】明細書
【補正対象項目名】０００８
【補正方法】変更
【補正の内容】
【０００８】
上記課題を解決するための本発明のファイルは、第１に中央の背１ｃ部分で折畳み可能なプラスチック製の表紙１ａ，１ｂの内面に、透明プラスチックシートよりなる複数枚の袋状シート２の固定端２ｂを重ね合せた状態で上記表紙１ａ，１ｂの内面の背１ｃ部分に沿って融着又は接着して上記袋状シート２の自由端を捲り開閉可能に取付け、該袋状シート２の自由端の表裏各面に見開き状態で数字が反転しない状態の向きで正視できるページ表示２ｅを印刷してなることを特徴としている。
【手続補正３】
【補正対象書類名】明細書
【補正対象項目名】０００９
【補正方法】変更
【補正の内容】
【０００９】
第２に、袋状シート２の自由端にページ表示２ｅを印刷した所定幅で縦方向の帯状のページ表示部２ｃを設けたことを特徴としている。
【手続補正４】
【補正対象書類名】明細書
【補正対象項目名】００１１
【補正方法】変更
【補正の内容】
【００１１】
第４に、表紙１ａ，１ｂを内部が透視できる透明なシート材によって形成してなることを特徴としている。
【手続補正５】
【補正対象書類名】明細書
【補正対象項目名】００１２
【補正方法】変更
【補正の内容】
【００１２】
第５に、表紙１ａの内側に書類の挿脱が可能な内ポケット３を設け、ファイルに収容している書類の表題が表示された表紙シート６を、上記表紙１ａの外側からの透視が可能な状態で、上記内ポケット３に挿入してなることを特徴としている。
【手続補正６】
【補正対象書類名】明細書
【補正対象項目名】００１３
【補正方法】変更
【補正の内容】
【００１３】
第６に、表紙１ａの内ポケット３又は最初の袋状シート２内に、当該ファイル内に収容されている書類のリストが各ページ表示と対応づけされて目次状に表示された目次シート７を挿入してなることを特徴としている。
【手続補正７】
【補正対象書類名】明細書
【補正対象項目名】００２９
【補正方法】変更
【補正の内容】
【００２９】
１    ファイル本体
１ａ  左表紙
１ｂ  右表紙
２    袋状シート
２ａ  開口部
２ｂ  固定端
２ｃ  ページ表示部
２ｄ  ヒートシール
２ｅ  ページ表示
３    内ポケット
３ａ  ポケットカバー
４    固着部
５    補助シート
６    表紙シート
７    目次シート